(57)【要約】【課題】薄型化、小型化を図る上で有利な撮像装置を提供する。【解決手段】撮像装置１０のレンズカバー２６を上方または下方に移動させることで、レンズカバー２６は、撮像レンズ２８Ａを外部に露出させる開放位置と、撮像レンズ２８Ａを外部から閉塞する閉塞位置とに亘って前面部１４を移動する。磁石４２は、前面部１４に臨むレンズカバー２６の背面２６０２に設けられる。レンズカバー２６の開放位置で磁石４２から発せられる磁力線を検出する磁気センサ４０は、前面部１４に対向する基板４８の面と反対の背面４８Ｂに取着されている。磁気センサ４０が基板４８の前面４８Ａに取着されている場合に比較して、基板４８の厚さ方向において磁石４２と磁気センサ４０との間隔ｄ１を基板４８の厚さ分大きく確保することが可能となる。【選択図】図６
2010102259.tif 000002
【特許請求の範囲】
【請求項１】
前面部に撮像レンズが設けられた装置本体と、
前記装置本体に設けられ前記撮像レンズを外部に露出させる開放位置と前記撮像レンズを外部から閉塞する閉塞位置とに亘って前記前面部を移動するレンズカバーと、
前記レンズカバーに設けられた磁石と、
前記装置本体の内部で前記前面部に対向して設けられ電子部品が実装された基板と、
前記基板に設けられ前記レンズカバーの開放位置で前記磁石から発せられる磁力線を検出する磁気センサとを備え、
前記磁気センサは、前記前面部に対向する前記基板の面と反対の面に取着されている、
撮像装置。
【請求項２】
前記磁気センサから供給される検出信号に基づいて前記撮像装置の電源のオン、オフを制御する制御手段を備える、
請求項１記載の撮像装置。
【請求項３】
前記レンズカバーは前記前面部上で直線移動する、
請求項１記載の撮像装置。
【発明の詳細な説明】
【技術分野】
【０００１】
本発明はスライド式のレンズカバーを備えた撮像装置に関する。
【背景技術】
【０００２】
前面に撮像レンズが設けられた装置本体と、撮像レンズを外部に露出させる開放位置と撮像レンズを外部から閉塞する閉塞位置とに亘って前面にスライド可能に設けられたレンズカバーとを備える撮像装置が提供されている（特許文献１参照）。
このような撮像装置として、レンズカバーを開放位置に位置させると電源がオンされ、レンズカバーを閉塞位置に位置させると電源がオフされるものが提供されている。
具体的には、磁石をレンズカバーに設けると共に、レンズカバーの開放位置で磁石から発せられる磁力線を検出する磁気センサを装置本体に設け、磁気センサの検出結果に基づいて電源をオン、オフしている。
この場合、装置本体の前後方向（厚さ方向）において、レンズカバーの開放位置における磁石と、磁気センサとの間に形成される間隔が短いと、磁石と磁気センサとの間の間隔がわずかに変化しただけで、磁気センサによる磁力の検出動作のオン、オフが切り替わるため検出動作が不安定となる。
一方、レンズカバーの開放位置は、磁石や磁気センサの取り付け位置の誤差などによりばらつくことから、上述のように磁気センサの検出動作が不安定となることを防止するため、磁石と磁気センサとの間の間隔を所定寸法確保することが必要となる。
【特許文献１】特開２００７−１０８３３８号公報
【発明の開示】
【発明が解決しようとする課題】
【０００３】
しかしながら、磁石と磁気センサとの間の間隔を所定寸法確保すると、レンズカバーと装置本体との前後方向の寸法も大きくせざるを得ず、撮像装置の薄型化を図る上で不利があった。
本発明はこのような事情に鑑みなされたものであり、その目的は、薄型化、小型化を図る上で有利な撮像装置を提供することにある。
【課題を解決するための手段】
【０００４】
上述の目的を達成するため、本発明の撮像装置は、前面部に撮像レンズが設けられた装置本体と、前記装置本体に設けられ前記撮像レンズを外部に露出させる開放位置と前記撮像レンズを外部から閉塞する閉塞位置とに亘って前記前面部を移動するレンズカバーと、前記レンズカバーに設けられた磁石と、前記装置本体の内部で前記前面部に対向して設けられ電子部品が実装された基板と、前記基板に設けられ前記レンズカバーの開放位置で前記磁石から発せられる磁力線を検出する磁気センサとを備え、前記磁気センサは、前記前面部に対向する前記基板の面と反対の面に取着されている。
【発明の効果】
【０００５】
本発明によれば、磁気センサを装置本体の前面部に対向する基板の面と反対の面に取着するといった極めて簡単な構成により、磁石と磁気センサとの間の間隔を確保でき、磁気センサの検出動作の安定化を図りつつ撮像装置の薄型化、小型化を図る上で有利となる。
【発明を実施するための最良の形態】
【０００６】
次に本発明の実施の形態について図面を参照して説明する。
図１（Ａ）は本実施の形態の撮像装置１０のレンズカバー２６の開放位置を示す斜視図、（Ｂ）はレンズカバー２６の閉塞位置を示す斜視図、（Ｃ）は撮像装置１０の背面側を示す斜視図である。
図２は撮像装置１０の分解斜視図、図３はフロントケース４４およびレンズカバー２６を示す分解斜視図、図４はレンズカバー２６が組み付けられたフロントケース４４の背面図である。
【０００７】
図１乃至図３に示すように、本実施の形態の撮像装置１０はデジタルスチルカメラである。
撮像装置１０は、装置本体（筐体）１２を有している。なお、本明細書において前方とは被写体側をいい、後方とは結像側をいい、撮像装置１０の左右は前方から見た状態でいうものとする。
装置本体１２は、図１（Ａ）乃至（Ｃ）に示すように、前後方向の厚さと、厚さよりも大きい寸法の上下方向の高さと、高さよりも大きい寸法の左右方向の幅を有し、扁平な薄い矩形板状に形成されている。
装置本体１２は前方に臨む前面部１４と、後方に臨む後面部１６と、上方に臨む上面部１８と、下方に臨む下面部２０と、左右に臨む左右の側面部２２、２４とを有している。
前面部１４には、レンズカバー２６が設けられている。
図２に示すように、筐体１２の右側部には、撮像光学系２８を収容するレンズ鏡筒３０が上下方向に延在して設けられ、撮像光学系２８の最も前方に撮影レンズ２８Ａ（対物レンズ）が位置している。
筐体１２の前面部１４上部の右側部寄りの箇所には開口が設けられ、撮像光学系２８の最も前部に配置される撮影レンズ２８Ａが前記開口を介して前方に臨んで設けられ、したがって、撮影レンズ２８Ａは前面部１４の上部に設けられている。
なお、撮像光学系２８は、撮影レンズ２８Ａに加えて、何れも不図示の撮影レンズ２８Ａの後方に位置し光路を９０度下方に屈曲させるプリズム、該プリズムの下方に前記光路に沿って配置された複数のレンズ、光路上に配置された絞り機構などを含む。
【０００８】
図１（Ａ）に示すように、前面部１４の撮影レンズ２８Ａの左側部には、焦点距離測定用の照明光などを照射する発光部３２Ａ、照明補助光（閃光）を発光するフラッシュ部３２Ｂなどが設けられている。
筐体１２の上面部１８には、電源スイッチ３４Ａ、シャッタボタン（レリーズボタン）３４Ｂ、ズームレバー３４Ｃなどが設けられている。
図１（Ｃ）に示すように、後面部１６のほぼ全面に、撮像した映像（画像データ）を表示すると共に、撮影や再生にまつわる種々の設定操作などを行うための操作画面あるいはメニュー画面などを表示するディスプレイ３６が設けられている。ディスプレイ３６によって表示部が構成されている。
本実施の形態では、ディスプレイ３６は、その表面（表示面）に指先で触れることで操作入力を行うタッチパネルが設けられており、該タッチパネルを操作することにより、撮影モード、再生モードの切替など種々の操作、撮像光学系２８のズーム率を望遠側（テレ側）あるいは広角側（ワイド側）に調整する操作などが行えるように構成されている。
なお、図１（Ｃ）において、符号３４Ｄは後面部１６の上部寄り箇所に設けられた再生モード切替スイッチを示す。
【０００９】
図５は撮像装置１０の制御系の構成を示すブロック図である。
図５に示すように、撮像装置１０は、撮像素子３８Ａと、画像処理部３８Ｂと、表示処理部３８Ｃと、操作部３８Ｄと、制御部３８Ｅ、磁気センサ４０などを備えている。
撮像素子３８Ａは、撮像光学系２６によって結像された被写体像を撮像するものであり、ＣＣＤやＣＭＯＳセンサなど従来公知のさまざまな撮像素子が採用可能である。
画像処理部３８Ｂは、撮像素子３８Ａから出力された撮像信号に基づいて画像データを生成し、メモリカードなどの記録媒体２に記録するものである。
表示処理部３８Ｃは、前記画像データをディスプレイ３８に表示させ、また、前記操作画面あるいはメニュー画面などをディスプレイ３８に表示させるものである。
操作部３８Ｄは、電源スイッチ３４Ａ、シャッタボタン３４Ｂ、ズームレバー３４Ｃ、再生モード切替スイッチ３４Ｄ、前記タッチパネルなどを含んで構成されるものである。
制御部３８Ｅは、操作部３８Ｄの操作に応じて画像処理部３８Ｂ、表示処理部３８Ｃを制御するものであり、ＣＰＵなどを含んで構成されている。
磁気センサ４０は、後述する磁石４２の磁力線を検出して検出信号を制御部３８Ｅに供給するものであり、このような磁気センサ４０としてホール素子など従来公知のさまざまな磁気センサが採用可能である。
制御部３８Ｅは、磁気センサ４０から供給される検出信号に基づいて撮像装置１０の電源のオン、オフを行う。すなわち、制御部３８Ｅによって特許請求の範囲の制御手段が構成されている。
【００１０】
次に装置本体１２の詳細について説明する。
図２に示すように、装置本体１２は、フロントケース４４とリアケース４６を含んで構成されている。
装置本体１２の内部にはシャーシ５０が設けられ、レンズ鏡筒３０、ディスプレイパネル３６、基板４８は、シャーシ５０を介して装置本体１２の内部に組み付けられている。
基板４８は、装置本体１２の内部で前面部１４に対向して設けられている。
基板４８は、複数の電子部品が実装されることで画像処理部３８Ｂ、表示処理部３８Ｃ、操作部３８Ｄ、制御部３８Ｅを構成するものである。
基板４８は、絶縁材料の表面あるいは内部に１層以上の導電パターンが形成されることで構成されており、磁力線に何ら影響を与えることなく磁力線を通過させるように構成されている。
また、基板４８には、磁気センサ４０も実装されている。
なお、図２において符号５２は上面部１８を構成するスイッチブロックを示し、スイッチブロック５２には電源スイッチ３４Ａ、シャッタボタン３４Ｂ、ズームレバー３４Ｃが設けられている。
また、図２において符号５４は発光部３２Ａ、フラッシュ部３２Ｂを構成するストロボユニットを示す。
【００１１】
図３に示すように、フロントケース４４は、横長矩形に形成され装置本体１２の前面部１４を構成する主面部４４Ａと、主面部４４Ａの幅方向の両側からリアケース４６側に湾曲し、装置本体１２の側面を構成する曲面部４４Ｂとを有する。
図４に示すように、主面部４４Ａは、上方に撮像レンズ２８Ａを外方に臨ませるレンズ用開口部４４０２と、発光部３２Ａを外方に臨ませる照光用開口部４４０４と、フラッシュ部３２Ｂを外方に臨ませる発光用開口部４４０６とが開口されている。
【００１２】
レンズカバー２６は、スライダ板金５６、サブフレーム５８、スライダ押さえ板６８などを含んで構成されている。
レンズカバー２６は、フロントケース４４に組み付けられている。
【００１３】
スライダ板金５６はレンズカバー２６を主面部４４Ａに沿って上下方向にスライド可能に支持するものである。
図３、図４に示すように、フロントケース４４は、スライダ板金５６の一部を外方に臨ませる３つの接続用開口部４４１０、４４１２、４４１４が形成されている。
接続用開口部４４１０、４４１２、４４１４は、主面部４４Ａの幅方向に亘って、適宜の間隔をあけて形成されている。
また、主面部４４Ａの左右両側に形成された２つの接続用開口部４４１０、４４１４は、それぞれスライダ板金５６が係止する係止辺４４２０が上下方向に亘って形成されている。
【００１４】
図３、図４に示すように、サブフレーム５８は、フロントケース４４の主面部４４Ａの内面側に取り付けられている。
サブフレーム５８は、中央部が開口された矩形板状に形成され、３つの接続用開口部４４１０、４４１２、４４１４を除く主面部４４Ａのほぼ内面全域に取り付けられている。
このサブフレーム５８には、スライダ板金５６の上下方向への移動をガイドするガイドレール６０が形成されている。
ガイドレール６０は、スライダ板金５６に突設されたガイド凸部６２が挿通されている。
【００１５】
スライダ板金５６は、主面部４４Ａの幅方向と略同一の幅を有する矩形状に形成され、３つの接続用開口部４４１０、４４１２、４４１４を介してレンズカバー２６と接続される３つの接続部５６１０、５６１２、５６１４が幅方向に亘って形成されている。
各接続部５６１０、５６１２、５６１４は、各接続用開口部４４１０、４４１２、４４１４の幅と略同一幅を有している。
各接続部５６１０、５６１２、５６１４は、フロントケース４４の外方側に向かって突設されることにより、各接続用開口部４４１０、４４１２、４４１４内に延在され、レンズカバー２６と接続される。
スライダ板金５６は、各接続部５６１０、５６１２、５６１４とレンズカバー２６とが、例えば接着剤等を用いて接続されている。これによりスライダ板金５６は、レンズカバー２６とともにフロントケース４４の主面部４４Ａを摺動自在に挟持する。
【００１６】
また、スライダ板金５６は、幅方向の両側に形成された２つの接続部５６１０、５６１４に、接続用開口部４４１０、４４１２に形成された係止辺４４２０を摺動する摺動辺５６２０が形成されている。
【００１７】
スライダ板金５６の左寄りの箇所には、該スライダ板金５６のスライド方向となる上下方向に沿ってガイド片部６４が上下に延出され、ガイド凸部６２はガイド片部６４の長手方向両端部にそれぞれ突設されている。
スライダ板金５６は、各ガイド凸部６２がガイドレール６０を挿通することにより、主面部４４Ａの上下方向へのスライドがガイドされるとともに、スライド領域が規制され、レンズカバー２６を開放位置と閉塞位置とに亘ってスライドさせることができる。
【００１８】
また、スライダ板金５６は、ガイド片部６４にトグルバネ６６の一端が係止されている。
トグルバネ６６は、スライダ板金５６及びレンズカバー２６をスライド方向へ付勢するものである。
トグルバネ３４は、その一端がスライダ板金５６のガイド片部６４に係止され、他端が上述したサブフレーム５８に係止されている。
トグルバネ６６は、スライダ板金５６のスライド位置に応じて付勢方向を反転させ、レンズカバー２６をスライド方向に応じて開放位置又は閉塞位置へ付勢する。
【００１９】
スライダ押さえ板６８は、スライダ板金５６を主面部４４Ａの内面側に押さえるものである。
スライダ押え板６８は、サブフレーム５８に突設された係止片に係止されるとともに、ビス等により主面部４４Ａの内面側に固定されることにより、スライダ板金５６のガイド片部６４の上に重ねられている。
このスライダ押さえ板６８は、サブフレーム５８に形成されたガイドレール６０及びガイド片部６４に突設されたガイド凸部６２に対応してスライド用開口部６８０２が形成されている。
【００２０】
また、フロントケース４４は、幅方向の両側面に、装置本体１２の側面を構成するとともに、レンズカバー２６が摺動する側壁片６６が取り付けられている。
側壁片６６は、エンジニアリングプラスチック等の樹脂材料を用いて形成され、レンズカバー２６と低摩擦で摺動可能とされている。
また、側壁片６６は、後述するレンズカバー２６の側面形状に応じて円弧状に湾曲して形成されている。
【００２１】
次いで、フロントケース４４にスライド可能に係合されているレンズカバー２６について説明する。
図３に示すように、レンズカバー２６は、フロントケース４４の主面部４４Ａと略同一幅を有し撮像レンズ２８Ａを閉塞するカバー部６８と、カバー部６８の幅方向の両側に形成されフロントケース４４の両側から背面側にかけて回り込んで係止する回り込み部７０とを有する。
【００２２】
カバー部６８は、主面部４４Ａより高さ方向の長さが短く、主面部４４Ａを高さ方向にスライドすることにより、レンズ用開口部４４０２等を閉塞し、あるいは開放することができる。
カバー部６８の内面側には、主面部４４Ａの表面との摺動に伴う傷を防止する防傷シート６８０２と、レンズ用開口部４４０２から臨まされている撮像レンズ２８Ａを保護するレンズ保護シート６８０４とが貼着されている。防傷シート６８０２は、長尺の不織布等が用いられ、主面部４４Ａへの傷を防止するとともに、塵埃等を除去する。
【００２３】
また、カバー部６８は、内面側がフロントケース４４の接続用開口部４４１０、４４１２、４４１４を介してスライダ板金５６の３つの接続部５６１０、５６１２、５６１４と対峙され、接着剤によって接続されている。
これによりレンズカバー２６は、スライダ板金５６とともにフロントケース４４の主面部４４Ａをスライド自在に挟持する。
そして、レンズカバー２６は、スライダ板金５６と一体にフロントケース４４の主面部４４Ａを上下方向へスライドする。
【００２４】
回り込み部７０は、レンズカバー２６をフロントケース４４の両側面に沿ってスライドさせるとともに、主面部４４Ａからの剥離を防止するものであり、図４に示すように、フロントケース４４の両側から背面側にかけて湾曲して形成されている。
回り込み部７０は、フロントケース４４の両側面と略同一の曲率を有し、フロントケース４４両側面から背面側に回り込んで係止されている。
【００２５】
これにより、レンズカバー２６は、フロントケース４４の両側面にスライド可能に係止されるとともに、フロントケース４４の主面部４４Ａ側への剥離が防止されている。
【００２６】
このような構成によれば、図１（Ａ）、（Ｂ）に示すように、レンズカバー２６を上方または下方に移動させることで、レンズカバー２６は、撮像レンズ２８Ａを外部に露出させる開放位置と、撮像レンズ２８Ａを外部から閉塞する閉塞位置とに亘って前面部１４上を往復直線移動する。
【００２７】
次に本発明の要旨である磁気センサ４０、磁石４２について説明する。
図６は磁気センサ４０および磁石４２の配置関係を説明する撮像装置１０の断面図である。
本実施の形態では、図３、図４に示すように、磁石４２は、レンズカバー２６に取り付けられたスライダ板金５６に設けられている。磁石４２としては、ネオジムなど従来公知のさまざまな磁石が採用可能である。
したがって、図６に示すように、磁石４２は、前面部１４に臨むレンズカバー２６の背面２６０２に設けられていることになる。
そして、図６に示すレンズカバー２６の開放位置で磁石４２から発せられる磁力線を検出する磁気センサ４０は、前面部１４に対向する基板４８の面と反対の面に取着されている。
なお、説明の便宜上、前面部１４に対向する基板４８の面４８Ａを前面４８Ａといい、磁気センサ４０が取着される前面４８Ａと反対の面４８Ｂを背面４８Ｂという。
また、図６において符号７２は基板４８の背面４８Ａに実装された電子部品を示す。
【００２８】
次に本実施の形態の作用効果について説明する。
レンズカバー２６の開放位置は、磁石４０や磁気センサ４２の取り付け位置の誤差などによりばらつくことから、磁気センサ４２の検出動作の安定化を図らなくてはならない。
そのために、磁石４２と磁気センサ４０との間の間隔ｄ１（本実施の形態では磁石４２が磁気センサ４０に臨む面と磁気センサ４０の中心位置との距離ｄ１）を所定寸法確保することが必要となる。
この場合、本実施の形態では、磁気センサ４０が基板４８の背面４８Ｂに取着されている。
そのため、磁気センサ４０が基板４８の前面４８Ａに取着されている場合に比較して、本実施の形態では、基板４８の厚さ方向において磁石４２と磁気センサ４０との間隔ｄ１を基板４８の厚さ分大きく確保することが可能となる。
したがって、レンズカバー２６と装置本体１２との前後方向の寸法を大きくする必要が無くなり、磁気センサ４０の検出動作の安定化を図りつつ、撮像装置１０の薄型化、小型化を図る上で有利となる。
具体的な数値例を挙げると、基板４８の厚さｔ＝０．５ｍｍ、磁気センサ４０の厚さ０．５ｍｍ、間隔ｄ１＝２ｍｍとした場合、磁石４２と基板４８の前面４８Ａとのクリアランスｃ１を１．２５ｍｍとすることができる。
【００２９】
ここで、図７に示す比較例と比較してさらに説明する。なお、図７において図６と同一部分には同一の符号を付して説明する。
図７に示すように、比較例の撮像装置１０では、磁気センサ４０が基板４８の前面４８Ａに取着されている。
この場合、磁石４２と磁気センサ４０との間の間隔ｄ１を所定寸法確保できるように基板４８をより後方に配置させなくはならず、図６に比較して基板４８をレンズカバー２６の背面２６０２からより離間させなくてならない。
したがって、装置本体１２の前後方向の寸法Ｄ２が図６の寸法Ｄ１に比較して大きくなり、撮像装置１０の薄型化、小型化を図る上で不利となる。
具体的な数値例を挙げると、図６の場合と同様に、磁気センサ４０の厚さ０．５ｍｍ、間隔ｄ１＝２ｍｍとした場合、磁石４２と基板４８の前面４８Ａとのクリアランスｃ２が２．２５ｍｍとなる。したがって、装置本体１２の前後方向の寸法Ｄ２が図６の寸法Ｄ１に比較して１ｍｍ分大きなものとなっている。
【００３０】
したがって、本実施の形態によれば、磁気センサ４０を装置本体１２の前面部１４に対向する基板４８の背面４８Ｂに取着するといった極めて簡単な構成により、磁気センサ４２の検出動作の安定化を図りつつ、撮像装置１０の薄型化、小型化を図る上で有利となる。
【００３１】
ところで、レンズカバー２６の開放位置がばらつくことから、磁気センサ４２の検出動作の安定化を図るために、磁石４２をより大きなものとし、磁石４２が磁気センサ４０に臨む面の面積を拡大することも考えられる。
しかしながら、この場合には、磁石４２の体積が増大することから磁石４２の部品コストが増加する不利がある。
これに対して、本実施の形態によれば、磁石４２の体積を増大させることなく、磁気センサ４２の検出動作の安定化を図れ、言い換えると、磁気センサ４２の検出動作の安定化を図りつつ磁石４２の小型化を図ることができ有利となる。
【００３２】
なお、本実施の形態では、撮像装置１０のレンズカバー２６が装置本体１２の前面部１４に対して上下方向に往復直線移動する場合について説明した。しかしながら、レンズカバー２６の移動方向は任意であり、左右方向であってもよく、あるいは、上下方向および左右方向に対して交差する斜め方向であってもよい。
また、本実施の形態では、撮像装置１０がデジタルスチルカメラである場合について説明したが、本発明は、撮像装置１０が動画を撮影するビデオカメラであっても無論適用可能である。
【００３３】
また、本実施の形態では、撮像装置１０のレンズカバー２６が開放位置と閉塞位置とに亘って前面部１４を移動するものにおいて、磁石と磁気センサを用いて開放位置と閉塞位置を検出する場合について説明した。
しかしながら、本発明は、矩形板状の第１ケースと第２ケースとをヒンジを介して揺動可能に構成したいわゆる折り畳み式の携帯電話機に適用可能である。
すなわち、第１、第２ケースの一方のケースに磁石を設け、他方のケースの基板に磁気センサを設ける。そして、第１、第２ケースを重ね合わせて折り畳んだ非使用位置で磁気センサにより磁石の磁力線を検出することで非使用位置を検出するような構成にも本発明は適用できる。
この場合には、前記他方のケースは、非使用位置で前記一方のケースに臨む前面部を有しており、前記他方のケースの内部に、電子部品が実装された基板が前記前面部に対向して設けられる。そして、磁気センサが、前記前面部に対向する前記基板の面と反対の面に取着されることになる。
【図面の簡単な説明】
【００３４】
【図１】（Ａ）は本実施の形態の撮像装置１０のレンズカバー２６の開放位置を示す斜視図、（Ｂ）はレンズカバー２６の閉塞位置を示す斜視図、（Ｃ）は撮像装置１０の背面側を示す斜視図である。
【図２】撮像装置１０の分解斜視図である。
【図３】フロントケース４４およびレンズカバー２６を示す分解斜視図である。
【図４】レンズカバー２６が組み付けられたフロントケース４４の背面図である。
【図５】撮像装置１０の制御系の構成を示すブロック図である。
【図６】磁気センサ４０および磁石４２の配置関係を説明する撮像装置１０の断面図である。
【図７】比較例における磁気センサ４０および磁石４２の配置関係を説明する撮像装置１０の断面図である。
【符号の説明】
【００３５】
１０……撮像装置、１２……装置本体、１４……前面部、２６……レンズカバー、２６０２……背面、４０……磁気センサ、４２……磁石、４８……基板、４８Ｂ……反対の面（背面）。
【図１】
2010102259.tif 000003
【図２】
2010102259.tif 000004
【図３】
2010102259.tif 000005
【図４】
2010102259.tif 000006
【図５】
2010102259.tif 000007
【図６】
2010102259.tif 000008
【図７】
2010102259.tif 000009